【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
咽頭壁内の組織に埋め込むようにサイズが決められて構成された構造体を含む装置であって、該構造体が、該構造体を少なくとも１つの脊椎に定着させるのに適応するようにサイズが決められて構成された領域を含む装置。
【請求項２】
舌および／または喉頭蓋谷内の組織に埋め込むようにサイズが決められて構成され、咽頭導管に沿って組織を定着および／または固定するための構造体を含む装置。
【請求項３】
前記構造体が、プラスチック材料、および／または金属材料、および／または布材料、および／またはセラミック材料、あるいはこれらの組合せを含む、請求項１または２に記載の装置。
【請求項４】
前記構造体が静的材料を含む、請求項１または２に記載の装置。
【請求項５】
前記構造体が力学的材料を含む、請求項１または２に記載の装置。
【請求項６】
前記構造体が予備成形材料を含む、請求項１または２に記載の装置。
【請求項７】
前記構造体が、ばね様の機械的性質を有する材料を含む、請求項１または２に記載の装置。
【請求項８】
前記構造体が弾性機械的性質を有する材料を含む、請求項１または２に記載の装置。
【請求項９】
前記構造体が少なくとも１つの強磁性材料を含む、請求項１または２に記載の装置。
【請求項１０】
前記構造体が形状記憶材料を含む、請求項１または２に記載の装置。
【請求項１１】
前記構造体が形状記憶強磁性材料を含む、請求項１または２に記載の装置。
【請求項１２】
前記構造体が熱形状記憶材料を含む、請求項１または２に記載の装置。
【請求項１３】
前記構造体が活性化力に対する暴露に応じて、所望の機械的状態を採る材料を含む、請求項１または２に記載の装置。
【請求項１４】
前記活性化力が磁界、もしくは温度条件、もしくは電気エネルギー、もしくは電磁エネルギー、またはこれらの組合せを含む、請求項１３に記載の装置。
【請求項１５】
前記構造体が少なくとも１つのヒンジ点を含む、請求項１または２に記載の装置。
【請求項１６】
前記構造体が、射出によって埋め込まれた材料を含む、請求項１または２に記載の装置。
【請求項１７】
前記領域が骨ねじを収容する、請求項１に記載の装置。
【請求項１８】
前記領域が接着剤および／またはセメントを収容する、請求項１に記載の装置。
【請求項１９】
前記構造体が、接着剤および／またはセメントを収容する領域を含む、請求項２に記載の装置。
【請求項２０】
前記構造体が、崩壊に備えて咽頭壁内に組織を固定する材料を含む、請求項１に記載の装置。
【請求項２１】
前記構造体が、崩壊に備えて咽頭壁内に組織を定着させる材料を含む、請求項１に記載の装置。
【請求項２２】
前記構造体が、崩壊に備えて咽頭壁内に組織を固定する、請求項１に記載の装置。
【請求項２３】
前記構造体が崩壊に備えて咽頭壁内に組織を定着させる、請求項１に記載の装置。
【請求項２４】
少なくとも２つの装置を備えるシステムであって、該装置の少なくとも１つが、請求項１または２に記載の装置を備えるシステム。
【請求項２５】
少なくとも２つの装置が請求項１または２に記載の装置を含む、請求項２４に記載のシステム。
【請求項２６】
少なくとも２つの装置を備えるシステムであって、該装置の少なくとも１つが、咽頭壁内の組織に埋め込むようにサイズが決められて構成された構造体を備え、該構造体が、少なくとも１つの脊椎に該構造体を定着させるのに適応するようにサイズが決められて構成された領域を含み、該装置の少なくとももう１つが、舌および／または喉頭蓋谷内の組織に埋め込まれ、咽頭導管に沿って組織を定着および／または固定するようにサイズが決められて構成された構造体を含むシステム。
【請求項２７】
少なくとも２つの装置が、脊椎に対する共通の定着点を共用する、請求項２６に記載のシステム。
【請求項２８】
咽頭壁内に装置を埋め込むためのシステムであって、
請求項１に記載の少なくとも１つの装置と、
該装置が少なくとも１つの脊椎に固定されるように該装置を咽頭壁内に埋め込むための手段とを含む、システム。
【請求項２９】
装置を舌および／または喉頭蓋谷内に埋め込むためのシステムであって、
請求項２に記載の少なくとも１つの装置と、
該装置を舌および／または喉頭蓋谷内に埋め込むための手段とを含むシステム。
【請求項３０】
組織を咽頭導管内の目標咽頭構造および／または個々の解剖学的構成要素に固定または定着させるための装置であって、組織内に液体またはスラリとして射出され、原位置で凝固して非液体状機械的埋め込み構造物を形成する１つまたは複数の液体成分を含む材料を含む装置。
【請求項３１】
少なくとも２つの装置を含むシステムであって、該装置の少なくとも１つが請求項３０に記載の装置を含むシステム。
【請求項３２】
装置を咽頭導管内の目標咽頭構造および／または個々の解剖学的構成要素に埋め込むためのシステムであって、
請求項３０に記載の少なくとも１つの装置と、
該装置を咽頭導管内の目標咽頭構造および／または個々の解剖学的構成要素に射出するための手段とを含むシステム。
【請求項３３】
組織を咽頭導管内の目標咽頭構造および／または個々の解剖学的構成要素内に固定または定着させるための装置であって、形状の変化に対する磁界抵抗を提供する磁力によって、所望の形状でサイズが決められて構成された動的構造体を含む装置。
【請求項３４】
前記動的構造体が、所望の形状を採るように選択的に活性化される、請求項３３に記載の装置。
【請求項３５】
前記構造体が、支持体上に実装された強磁性材料を含む、請求項３３に記載の装置。
【請求項３６】
前記支持体がプラスチック材料、および／または金属材料、および／または布材料、および／またはセラミック材料、あるいはこれらの組合せを含む、請求項３５に記載の装置。
【請求項３７】
組織を咽頭導管内の目標咽頭構造および／または個々の解剖学的構成要素に固定または定着させるための装置を埋め込むためのシステムであって、請求項３３に記載の少なくとも１つの装置と、該装置を埋め込むための手段とを含むシステム。
【請求項３８】
組織を咽頭導管内の目標咽頭構造および／または個々の解剖学的構成要素に固定または定着させるための装置であって、形状の変化に対する抵抗を提供する形状記憶強磁性材料を含む動的構造体を含む装置。
【請求項３９】
前記形状記憶強磁性材料が支持体上に実装される、請求項３８に記載の装置。
【請求項４０】
前記支持体がプラスチック材料、および／または金属材料、および／または布材料、および／またはセラミック材料、あるいはこれらの組合せを含む、請求項３９に記載の装置。
【請求項４１】
組織を咽頭導管内の目標咽頭構造および／または個々の解剖学的構成要素に固定または定着するための装置を埋め込むためのシステムであって、請求項３８に記載の少なくとも１つの装置と、該装置を埋め込むための手段とを含むシステム。
【請求項４２】
組織を咽頭導管内の目標咽頭構造および／または個々の解剖学的構成要素に固定または定着するための装置であって、咽頭導管の外側に配置され、大気圧未満の圧力を維持するようにサイズが決められて構成されたチャンバを含む装置。
【請求項４３】
前記チャンバが、呼吸サイクルの間に咽頭導管内で生じる最小圧力条件未満の圧力を維持するようにサイズが決められて構成される、請求項４２に記載の装置。
【請求項４４】
前記チャンバが、頚部周囲に着用されるようにサイズが決められて構成される、請求項４２に記載の装置。
【請求項４５】
組織を咽頭導管内の目標咽頭構造および／または個々の解剖学的構成要素に固定または定着するためのシステムであって、請求項４２に記載の装置と、該装置を咽頭導管外に配置するための手段とを含むシステム。
【請求項４６】
装置を咽頭壁内に埋め込むためのシステムであって、
請求項１に記載の装置と、
切開部を形成して、頚部脊椎の前方側面を露出させるための手段と、
該装置を該切開部に挿入し、咽頭壁に沿って粘膜下の所望の向きにトンネルを形成させるための手段と、
該装置を解放するための手段と、
該装置を脊椎に固定するための手段とを含むシステム。